(57)【要約】【課題】光センサ、噴射ノズル、ポンプ、ポンプの電源を要することなく、乗場戸の窓ガラスに洗浄液を供給することができるエレベータの窓ガラス清掃装置の提供。【解決手段】本発明は、エレベータに備えられ、乗場戸１の開閉と連動して乗場戸１に設けられた窓ガラス２を清掃する清掃具３と、窓ガラス２を洗浄する洗浄液を供給する洗浄液供給手段とを備えたエレベータの窓ガラス清掃装置において、洗浄液供給手段は、窓ガラス２の下方に位置し、洗浄液が収容され、下降した清掃具３の洗浄液への接触を可能にさせるタンク４から成っている。このタンク４は、清掃具３の下降により清掃具３から与えられた押圧力によって開き、押圧力が除かれることによって閉じる蓋部５と、この蓋部５を閉じる方向に付勢するばね６とを有している。【選択図】図１
2016088718.tif 000002
【特許請求の範囲】
【請求項１】
エレベータに備えられ、乗場戸の開閉と連動して前記乗場戸に設けられた窓ガラスを清掃する清掃具と、前記窓ガラスを洗浄する洗浄液を供給する洗浄液供給手段とを備えたエレベータの窓ガラス清掃装置において、
前記洗浄液供給手段は、前記窓ガラスの下方に配置され、前記洗浄液が収容され、下降した前記清掃具の前記洗浄液への接触を可能にさせるタンクから成ることを特徴とするエレベータの窓ガラス清掃装置。
【請求項２】
請求項１に記載のエレベータの窓ガラス清掃装置において、
前記タンクは、前記清掃具の下降により前記清掃具から与えられる押圧力によって開き、前記押圧力が除かれることによって閉じる蓋部と、この蓋部を閉じる方向に付勢するばねとを有することを特徴とするエレベータの窓ガラス清掃装置。
【請求項３】
請求項２に記載のエレベータの窓ガラス清掃装置において、
前記清掃具は、
最下位置に配置され前記タンクに収容された前記洗浄液に接触可能で、前記窓ガラスに前記洗浄液を塗布する水拭き部と、
この水拭き部の上側に配置され前記タンクに収容された前記洗浄液に接触しないように保持されて、前記窓ガラスに付着した水分を切る水切り部と、
この水切り部の上側に配置され前記窓ガラスを乾拭きする乾拭き部と、
前記水拭き部、前記水切り部、及び前記乾拭き部を保持する保持部とを含むことを特徴とするエレベータの窓ガラス清掃装置。
【請求項４】
請求項３に記載のエレベータの窓ガラス清掃装置において、
前記水拭き部、前記水切り部、及び前記乾拭き部のそれぞれは、水平方向に延設させた部材から成り、
前記水拭き部、前記水切り部、及び前記乾拭き部を同時に水平軸を中心に、これらの水拭き部、水切り部、及び乾拭き部が窓ガラスに接触しないように回動させる回動手段を備えたことを特徴とするエレベータの窓ガラス清掃装置。
【請求項５】
請求項４に記載のエレベータの窓ガラス清掃装置において、
前記回動手段は、
前記水拭き部の両側部のそれぞれに一体に設けられ、前記保持部に回動可能に取り付けられ、前記水平軸を形成する第１軸と、
前記水切り部の両側部のそれぞれに一体に設けられ、前記保持部に回動可能に取り付けられ、前記水平軸を形成する第２軸と、
前記乾拭き部の両側部のそれぞれに一体に設けられ、前記保持部に回動可能に取り付けられ、前記水平軸を形成する第３軸と、
前記第１軸、前記第２軸、及び前記第３軸を、これらの軸心を中心として同時に回動させる索状体とを含むことを特徴とするエレベータの窓ガラス清掃装置。
【請求項６】
請求項１〜５のいずれか１項に記載のエレベータの窓ガラス清掃装置において、
前記清掃具を上下方向に案内する案内手段を備えたことを特徴とするエレベータの窓ガラス清掃装置。
【請求項７】
請求項６に記載のエレベータの窓ガラス清掃装置において、
前記案内手段は、
前記清掃具の側部に固定したスライドシューと、
このスライドシューに取り付けたローラと、
上下方向に延設され、前記ローラを上下方向に案内するガイドレールとを含むことを特徴とするエレベータの窓ガラス清掃装置。
【請求項８】
請求項７に記載のエレベータの窓ガラス清掃装置において、
前記スライドレールと平行に上下方向に延設したガイド部材と、
前記ガイド部材によってガイドされるおもりと、
一端側が前記清掃具及び前記おもりに連結される連結ロープと、
昇降路側に固定され、前記連結ロープが巻き回される駆動プーリと、
前記昇降路側に固定され、前記連結ロープの他端側が係着され、前記連結ロープの自動巻き取りが可能なリール部とを備えたことを特徴とするエレベータの窓ガラス清掃装置。
【請求項９】
請求項８に記載のエレベータの窓ガラス清掃装置において、
前記おもりの移動を阻止する移動阻止手段と、
前記リール部の回動を阻止する回動阻止手段とを備えたことを特徴とするエレベータの窓ガラス清掃装置。
【発明の詳細な説明】
【技術分野】
【０００１】
本発明は、乗場戸の窓ガラスの清掃の際に、窓ガラスに洗浄液を供給可能なエレベータの窓ガラス清掃装置に関する。
【背景技術】
【０００２】
この種の従来技術が特許文献１に開示されている。図９は、この特許文献１に開示された従来技術を示す図である。この従来技術は、窓ガラス５３を有する戸体２、すなわち乗場戸を挟むように、三方枠５１内に配置した光センサ５０の発光素子５０ａと受光素子５０ｂとを配置してある。また、戸体５２の窓ガラス５３の裏面に接触するように清掃具５４を配置してある。さらに、清掃具５４に向って洗浄液を噴霧する噴射ノズル５６と、この噴射ノズル５６から洗浄液を噴射させるポンプ５５を備えている。
【０００３】
この従来技術は、戸体５２の開閉動作に伴って窓ガラス５３が清掃具５４に接しながら移動し、この窓ガラス５３の清掃が行われる。また、光センサ５０の発光素子５０ａから受光素子５０ｂに入力された検出信号が所定レベルに達しないと、図示しない制御装置は窓ガラス５３に汚れがあると認識し、ポンプ５５を作動させ、噴射ノズル５６から洗浄液を窓ガラス５３に噴霧するようになっている。
【先行技術文献】
【特許文献】
【０００４】
【特許文献１】特開平１０−２５８９７８号公報
【発明の概要】
【発明が解決しようとする課題】
【０００５】
前述した従来技術は、戸体５２の窓ガラス５３に洗浄液を供給するために、光センサ、ポンプ、噴射ノズル、及びポンプを駆動する電源等が必要になり、構成が複雑で製作費が高くなるとともに、設置作業が煩雑で設置作業工数が多くなる問題がある。また、噴射ノズルから洗浄液を噴霧させるポンプの制御システムの構築が必要になり、この点でも設置作業が煩雑になる懸念がある。
【０００６】
本発明は、前述した従来技術における実情からなされたもので、その目的は、光センサ、噴射ノズル、ポンプ、及びポンプの電源を要することなく、乗場戸の窓ガラスに洗浄液を供給することができるエレベータの窓ガラス清掃装置を提供することにある。
【課題を解決するための手段】
【０００７】
前記目的を達成するために、本発明に係るエレベータの窓ガラス清掃装置は、エレベータに備えられ、乗場戸の開閉と連動して前記乗場戸に設けられた窓ガラスを清掃する清掃具と、前記窓ガラスを洗浄する洗浄液を供給する洗浄液供給手段とを備えたエレベータの窓ガラス清掃装置において、前記洗浄液供給手段は、前記窓ガラスの下方に配置され、前記洗浄液が収容され、下降した前記清掃具の前記洗浄液への接触を可能にさせるタンクから成ることを特徴としている。
【発明の効果】
【０００８】
本発明に係るエレベータの窓ガラス清掃装置は、乗場戸の窓ガラスの清掃時には、清掃具を下降させて清掃具をタンクに収容された洗浄液に接触させることによって清掃具に洗浄液を含浸させ、この清掃具を介して窓ガラスに洗浄液を供給することができる。すなわち本発明は、洗浄液が収容されたタンクを窓ガラスの下方に配置することにより、光センサ、洗浄液を噴霧する噴射ノズル、ポンプ、及びポンプの電源を要することなく、乗場戸の窓ガラスに洗浄液を供給することができる。これにより本発明は、従来に比べて構成が簡単になり、製作費を低減させることができる。また本発明は、設置作業が容易であるとともに、煩雑な制御システムの構築を必要とせず、これらのことから設置作業工数を従来に比べて少なく抑えることができ、実用性に富む。
【図面の簡単な説明】
【０００９】
【図１】本発明に係るエレベータの窓ガラス清掃装置の一実施形態を示す正面図である。
【図２】図７のＢ部に配置された本実施形態に備えられるタンクを示す側面図である。
【図３】本実施形態に備えられる清掃具の側面図である。
【図４】本実施形態に備えられる清掃具の正面図である。
【図５】図１のＡ部に配置された本実施形態に備えられるリール部を示す側面図である。
【図６】本実施形態の動作を示す図で、清掃開始時の状態を示す正面図である。
【図７】本実施形態の動作を示す図で、清掃具をタンクの洗浄液に接触させた状態を示す正面図である。
【図８】本実施形態の動作を示す図で、清掃具を回動させた状態を示す側面図である。
【図９】従来技術を示す図である。
【発明を実施するための形態】
【００１０】
以下、本発明に係るエレベータの窓ガラス清掃装置の実施の形態を図面に基づいて説明する。
【００１１】
図１は、本発明に係るエレベータの窓ガラス清掃装置の一実施形態を示す正面図、図２は、図７のＢ部に配置された本実施形態に備えられるタンクを示す側面図、図３は、本実施形態に備えられる清掃具の側面図、図４は、本実施形態に備えられる清掃具の正面図、図５は、図１のＡ部に配置された本実施形態に備えられるリール部を示す側面図である。
【００１２】
本実施形態に係るエレベータの窓ガラス清掃装置は、図１に示すように、エレベータに備えられ、乗場戸１の開閉と連動して乗場戸１の裏面側に設けられた窓ガラス２を清掃する清掃具３を備えている。乗場戸１は、例えば両開き戸から成っている。以下にあってはこの両開き戸から成る乗場戸１を例に挙げて説明するが、片開き戸の乗場戸の窓ガラスの清掃に対しても本実施形態は、両開き戸の乗場戸１におけるのと同様に有効である。
【００１３】
本実施形態は、窓ガラス２に洗浄液を供給する洗浄液供給手段を備えている。この洗浄液供給手段は、乗場戸１の窓ガラス２の下方に配置され、洗浄液が収容され、下降した洗浄具３の洗浄液への接触を可能にさせるタンク４から成っている。タンク４には、収容された洗浄液の残量を確認できる透明窓４ａを設けてある。
【００１４】
図２に示すように、タンク４は、清掃具３の下降により清掃具３から与えられる押圧力によって開き、押圧力が除かれることによって閉じる蓋部５と、この蓋部５を、閉じる方向に付勢するばね６とを有している。
【００１５】
図３，４に示すように、清掃具３は、最下位置に配置されタンク４に収容された洗浄液に接触可能で、窓ガラス２に洗浄液を塗布する水拭き部７を含んでいる。また清掃具３は、水拭き部７の上側に配置され、タンク４に収容された洗浄液に接触しないように保持されて、窓ガラス２に付着した水分を切る水切り部８を含んでいる。また清掃具３は、水切り部８の上側に配置され、窓ガラス２を乾拭きする乾拭き部９を含んでいる。また清掃具３は、水拭き部７、水切り部８、及び乾拭き部９を保持する保持部、例えば保持板１０を含んでいる。
【００１６】
図４に示すように、水拭き部７、水切り部８、及び乾拭き部９のそれぞれは、水平方向に延設させた部材から成り、本実施形態は、水拭き部７、水切り部８、及び乾拭き部９を同時に水平軸を中心に、これらの水拭き部７、水切り部８、及び乾拭き部９が窓ガラス２に接触しないように回動させる回動手段を備えている。
【００１７】
同図４に示すように、回動手段は、水拭き部７の両側部のそれぞれに一体に設けられ、保持板１０に回動可能に取り付けられ、前述した水平軸を形成する第１軸１１を含んでいる。また回動手段は、水切り部８の両側部のそれぞれに一体に設けられ、保持板１０に回動可能に取り付けられ、前述した水平軸を形成する第２軸１２を含んでいる。また回動手段は、乾拭き部９の両側部のそれぞれに一体に設けられ、保持板１０に回動可能に取り付けられ、前述した水平軸を形成する第３軸１３を含んでいる。さらに、この回動手段は、図３に示すように、第１軸１１、第２軸１２、及び第３軸１３を、これらの軸の軸心を中心として同時に回動させる索状体、例えばチェーン１４を含んでいる。
【００１８】
また本実施形態は、清掃具３を上下方向に案内する案内手段を備えている。この案内手段は、図１に示すように、清掃具３の側部、すなわち保持板１０に固定したスライドシュー２０と、このスライドシュー２０に取り付けられ回転自在なローラ２１と、上下方向に延設され、ローラ２１を上下方向に案内するガイドレール２２とを含んでいる。ガイドレール２２は乗場戸１の裏面に取り付けてある。
【００１９】
また同図１に示すように、本実施形態は、スライドレール２２と平行に上下方向に延設下ガイド部材３０を備えている。このガイド部材３０は、窓ガラス２とスライドレール２２との間に位置する乗場戸１の裏面に取り付けてある。
【００２０】
また本実施形態は、ガイド部材３０によってガイドされるおもり３１を備えている。このおもり３１は、例えば回転自在なローラから成り、前述したスライドシュー２０に固定される保持部材３２によって保持されている。
【００２１】
また本実施形態は、一端が保持部材３２を介して清掃具３及びおもり３１に連結される連結ロープ３３と、乗場戸１の裏面の窓ガラス２の上方位置に取り付けられ、連結ロープ３３が巻き回されるプーリ３４と、昇降路側に設けたベース部材２５に固定され、連結ロープ３３の他端側が係着され、連結ロープ３３の自動巻き取りが可能なリール部３６を備えている。図５に示すように、リール部３６は、連結ロープ３３が巻かれる巻胴３６ａと、この巻胴３６ａ部分に当接可能な板ばね３６ｂとを含んでいる。
【００２２】
また本実施形態は、おもり３１の移動を阻止する移動阻止手段を備えている。この移動阻止手段は、例えば図１に示すボルト穴４１と、このボルト穴４１に螺合して駆動プーリ３５付近の連結ロープ３３部分を挟圧しておもり３１の移動を阻止する図示しないボルトとを含んでいる。
【００２３】
また本実施形態は、リール部３６の回動を阻止する回動阻止手段を備えている。この回動阻止手段は、例えば図１，５に示すボルト穴４６と、このボルト穴４６に螺合して、板ばね３６ｂを押圧可能なボルト４５とを含んでいる。このボルト４５を締め付けることにより、ボルト４５が板ばね３６ｂを押圧し、さらにこの板ばね３６ｂによって巻胴３６ａに押圧力が与えられて、巻胴３６ａの回動が阻止される。ボルト４５の締め付け力を解くことにより、板ばね３６ｂによる巻胴３６ｂに対する押圧力が解除され、巻胴３６ａの回動が可能となる。
【００２４】
図６〜８は、本実施形態の動作を示す図で、図６は清掃開始時の状態を示す正面図、図７は清掃具をタンクの洗浄液に接触させた状態を示す正面図、図８は清掃具を回動させた状態を示す側面図である。
【００２５】
前述のように構成した本実施形態にあって、清掃具３による乗場戸１の窓ガラス２の清掃が行われないときには、清掃具３は図６に示す状態に保持される。
【００２６】
すなわち、乗場戸１が完全に開かれ、清掃具３を最上部に位置させた状態で、例えばボルト４５が外され、ボルト４５とボルト穴４６とを含む回動阻止手段によるリール部３６の回動の阻止が解除される。また、ボルト穴４１に図示しないボルトを螺合させて締め付けることにより、ボルト穴４１と、このボルト穴４１に螺合する図示しないボルトとを含む移動阻止手段によって、駆動プーリ３５付近に位置する連結ロープ３３の部分が挟圧され、おもり３１の移動が阻止された状態に保つ。
【００２７】
このような状態において、乗場戸１が閉じられた場合には、おもり３１の移動が阻止されることから、乗場戸１の開閉動作に伴っておもり３１が下降することなく保持される。これに伴って清掃具３も最上部位置に保持された状態に保たれる。また、駆動プーリ３５とリール部３６の間に位置する連結ロープ３６の部分は、乗場戸１の閉じ動作に応じてリール部３６に自動的に巻き取られる。
【００２８】
すなわち、清掃具３による窓ガラス２の清掃の不実施時には、清掃具３は窓ガラス２による視認性を妨げない位置に保持されて、乗場戸１の開閉を支障なく行わせることができる。
【００２９】
これに対し、清掃具３による乗場戸１の窓ガラス２の清掃が行われる際には、図６に示す状態において、例えばホルト穴４１に螺合させていた図示しないボルト４１を外すことにより、移動阻止手段によるおもり３１の移動の阻止が解除される。また、ボルト穴４６にボルト４５を螺合させて締め付けることにより、リール部３６の回動が阻止された状態に保たれる。
【００３０】
このような状態において、乗場戸１が閉じられると、おもり３１の移動が可能となることから、保持部材３２を介しておもり３１が下降し、このおもり３１の下降と一体的に清掃具３が下降する。完全に閉じられた状態では、図２及び図７に示すように、清掃具３の水拭き部７がタンク４に設けた蓋部５を押圧し、この蓋部５をばね６の付勢力に抗して開き、タンク４に収容された洗浄液に清掃具３の水拭き部７が浸される。
【００３１】
この間、ローラ２１がガイドレール２２に沿って上下方向に転動することによって清掃具３が案内され、おもり３１がガイド部材３に沿って上下方向に転動することによっておもり３１が案内される。
【００３２】
このような状態から、再び乗場戸１が開かれると、乗場戸１の開動作に伴っておもり３１及び清掃具３が上昇し、清掃具３の水拭き部７に含浸された洗浄液が乗場戸１の窓ガラス２に塗布され、前述した図６に示す状態となる。
【００３３】
また、この状態から再び乗場戸１が閉じられると、乗場戸１の閉動作に伴っておもり３１及び清掃具３が下降し、清掃具３の水拭き部７に含浸させた洗浄液が窓ガラス２に塗布され、このように窓ガラス２に塗布された洗浄液の水切りが水切り部８によって行われ、清掃具３の乾拭き部９によって窓ガラス２に付着した水分が除去される。
【００３４】
なお、このようにして清掃具３が図７に示す位置まで下降し、清掃作業を終了する場合には、図８に示すように、チェーン１４を押引き操作して清掃具３の水拭き部７、水切り部８、及び乾拭き部９を回動させ、これらの水拭き部７、水切り部８、及び乾拭き部９を窓ガラス２に接触しないように保つ。この状態で図６に示すように、清掃具３及びおもり３１を最上部の位置まで上昇させ、前述したように回動阻止手段によるリール部３６の回動の阻止を解除させ、移動阻止手段によっておもり３１の移動を阻止する状態に保つ。
【００３５】
このように構成した本実施形態は、乗場戸１の窓ガラス２の清掃時には、清掃具３を下降させて清掃具３をタンク４に収容された洗浄液に接触させることによって清掃具３に洗浄液を含浸させ、この清掃具３を介して窓ガラス２に洗浄液を供給することができる。すなわち本実施形態は、洗浄液が収容されたタンク４を窓ガラス２の下方に配置することにより、光センサ、洗浄液を噴霧する噴射ノズル、ポンプ、及びポンプの電源を要することなく乗場戸１の窓ガラス２に洗浄液を供給することができる。
【００３６】
これにより本実施形態は、構成が簡単になり、製作費を低減させることができる。また本実施形態は、設置作業が容易であるとともに、煩雑な制御システムを構築する必要がなく、これらのことから設置作業工数を少なく抑えることができて実用性に富む。
【００３７】
また本実施形態は、清掃具３による乗場戸１の窓ガラス２の清掃が行われないときには、タンク４の蓋部５を閉じた状態に保つことができる。これによりタンク４内の洗浄液の蒸発を抑えることができ、タンク４に収容される洗浄液の交換頻度を少なく抑えることができる。
【００３８】
また本実施形態は、清掃具３の水拭き部７に接触させた洗浄液を乗場戸１の窓ガラス２に塗布した後、窓ガラス２に付着した洗浄液の汚水を水切り部８で切り、その後に乾拭き部９で窓ガラス２を乾拭きするようにしたので、窓ガラス２を洗浄液が除去された清浄な状態に早く維持することができ、優れた清掃性能を確保できる。
【００３９】
また本実施形態は、清掃具３の乾拭き部９による乾拭き後には、回動手段によって水拭き部７、水切り部８、及び乾拭き部９を同時に回動させることにより、これらの水拭き部７、水切り部９、及び乾拭き部９のいずれかに付着した洗浄液の汚水が窓ガラス２に付着しないように保つことができる。これによっても優れた清掃性能を確保することができる。
【００４０】
また本実施形態は、チェーン１４を操作することにより、水拭き部７、水切り部８、及び乾拭き部９を同時に簡単な操作で回動させて、これらの拭き部７、水切り部８、及び乾拭き部９が窓ガラス２に接触しないように保つことができ、清掃作業の能率向上に貢献する。
【００４１】
また本実施形態は、乗場戸１の窓ガラス２の清掃時には、ガイドレール２２とローラ２１との係合を介して清掃具３を上下方向に案内することができ、これによって安定した信頼性の高い清掃作業を実現させることができる。
【００４２】
また本実施形態は、乗場戸１の清掃時には、回動阻止手段によってリール部３６の回動を阻止し、乗場戸１の開閉動作に連動して、また清掃具３及びおもり３１の自重を利用して、これらの清掃具３及びおもり３１を下降させながら窓ガラス２の清掃を確実に行うことができる。
【００４３】
また本実施形態は、乗場戸１の清掃を実施しないときには、乗場戸１の開閉動作に連動させることなく、清掃具３を窓ガラス２の最上部の位置に安定して保持させることができる。これにより前述したように、乗場戸１の清掃を実施しないときの乗場戸１の窓ガラス２の良好な視認性を確保できる。また、乗場戸１の清掃を実施しないときの清掃具３の水拭き部７、水切り部８、及び乾拭き部９のそれぞれの窓ガラス２との接触による磨耗を防ぎ、清掃具３の耐久性を確保することができる。
【００４４】
なお、前述した実施形態では、おもり３１の移動を阻止する移動阻止手段をボルト穴４１と、このボルト穴４１に螺合する図示しないボルトとによって構成したが、本発明は、このように構成することには限られず、移動阻止手段をピンあるいはレバーを含む構成とすることも可能である。
【００４５】
同様に、前述した実施形態では、リール部３６の回動を阻止する回動阻止手段をボルト穴４６と、このボルト穴４６に螺合するボルト４５とによって構成したが、本発明は、このように構成することには限られず、回動阻止手段をピンあるいはレバーを含む構成とすることも可能である。
【符号の説明】
【００４６】
１    乗場戸
２    窓ガラス
３    清掃具
４    タンク
４ａ  透明窓
５    蓋部
６    ばね
７    水拭き部（清掃具）
８    水切り部（清掃具）
９    乾拭き部（清掃具）
１０    保持板（保持具）〔清掃具〕
１１    第１軸（回動手段）
１２    第２軸（回動手段）
１３    第３軸（回動手段）
１４    チェーン（索状体）〔回動手段〕
２０    スライドシュー（案内手段）
２１    ローラ（案内手段）
２２    ガイドレール（案内手段）
２５    ベース部材
３０    ガイド部材
３１    おもり
３２    保持部材
３３    連結ロープ
３４    プーリ
３５    駆動プーリ
３６    リール部
３６ａ  巻胴
３６ｂ  板ばね
４１    ボルト穴（移動阻止手段）
４５    ボルト（回動阻止手段）
４６    ボルト穴（回動阻止手段）
【図１】
2016088718.tif 000003
【図２】
2016088718.tif 000004
【図３】
2016088718.tif 000005
【図４】
2016088718.tif 000006
【図５】
2016088718.tif 000007
【図６】
2016088718.tif 000008
【図７】
2016088718.tif 000009
【図８】
2016088718.tif 000010
【図９】
2016088718.tif 000011